(57)【要約】【課題】ＤＬＰプロジェクタシステムで偏光面が揃った投射画像光を生成することができ、偏光と波長選択機能を持つスクリーンと組み合わせることにより外光がある場合において高コントラストの投射画像が得られるようにする。【解決手段】ＤＬＰ素子を有し、該ＤＬＰ素子によって生成した投射画像光をスクリーンに投射するＤＬＰプロジェクタシステムにおいて、赤光、緑光、及び青光を発光するＬＥＤを用いたＬＥＤ光源と、前記ＬＥＤ光源からのＰ偏光成分またはＳ偏光成分のいずれか一方を他方の偏光成分と同じ偏光面を持つように変換するＰＳ分離合成素子と、前記ＰＳ分離合成素子によって変換された光が入射される前記ＤＬＰ素子と、前記ＤＬＰ素子で生成された投射画像光を受けて映像を表示する偏光層と波長選択層を有するスクリーンを備えた。【選択図】図１
2009109699.tif 000002
【特許請求の範囲】
【請求項１】
ＤＬＰ素子を有し、該ＤＬＰ素子によって生成した投射画像光を投射するＤＬＰプロジェクタ装置において、
狭い波長帯域で発光する赤光、緑光、及び青光の光源と、
前記光源からのＰ偏光成分またはＳ偏光成分のいずれか一方を他方の偏光成分と同じ偏光面を持つように変換するＰＳ分離合成素子と、
前記ＰＳ分離合成素子によって変換された光が入射される前記ＤＬＰ素子と、
を備えたことを特徴とするＤＬＰプロジェクタ装置。
【請求項２】
前記ＰＳ分離合成素子は、偏光ビームスプリッタ膜と、１／２波長板と、反射膜を有し、前記偏光ビームスプリッタ膜で入射光をＰ偏光成分とＳ偏光成分に分離し、該分離したＰ偏光成分とＳ偏光成分のいずれか一方を前記１／２波長板に作用させて偏光方向を回転せしめ、前記反射膜により他方の偏光成分の偏光方向と一致させて出射させることを特徴とする請求項１に記載のＤＬＰプロジェクタ装置。
【請求項３】
前記光源は、複数の赤色用ＬＥＤ、複数の緑色用ＬＥＤ、複数の青色用ＬＥＤを備え、
前記ＰＳ分離合成素子は、前記複数の赤色用ＬＥＤ、前記複数の緑色用ＬＥＤ、前記複数の青色用ＬＥＤのそれぞれ１個毎に前記偏光ビームスプリッタ膜、前記１／２波長板、及び前記反射膜とを有し、前記偏光ビームスプリッタ膜で入射光をＰ偏光成分とＳ偏光成分に分離し、該分離したＰ偏光成分とＳ偏光成分のいずれか一方を前記１／２波長板に作用させて偏光方向を回転せしめ、前記反射膜により他方の偏光成分の偏光方向と一致させて出射させることを特徴とする請求項２に記載のＤＬＰプロジェクタ装置。
【請求項４】
前記光源の色度点から送像側の色度点を求める変換マトリクス演算装置を備え、
前記変換マトリクス演算装置で求めた送像側の色度点が得られるように前記光源の発光強度を補正することを特徴とする請求項１乃至請求項３のいずれか一項に記載のＤＬＰプロジェクタ装置。
【請求項５】
プロジェクタ装置から投射される投射画像光を受けて映像を表示するスクリーンにおいて、
偏光層と波長選択層を備えていることを特徴とするスクリーン。
【請求項６】
当該スクリーンは反射型スクリーンとして構成されることを特徴とする請求項５に記載のスクリーン。
【請求項７】
前記偏光層の偏光軸が、前記プロジェクタ装置から投射される偏光面が揃った投射画像光を反射する方向に設定されていることを特徴とする請求項５又は請求項６のいずれか一項に記載のスクリーン。
【請求項８】
前記波長選択層は、赤光、緑光、青光のみを反射しそれ以外の光は吸収することを特徴とする請求項５乃至請求項７のいずれか一項に記載のスクリーン。
【請求項９】
前記波長選択層は、反射する赤光、緑光、青光の波長帯域が光源の発光波長帯域にほぼ等しく設定されていることを特徴とする請求項５乃至請求項８のいずれか一項に記載のスクリーン。
【請求項１０】
当該スクリーンは透過型スクリーンとして構成されることを特徴とする請求項５に記載のスクリーン。
【請求項１１】
前記偏光層の偏光軸が、前記プロジェクタ装置から投射される偏光面が揃った投射画像光を透過する方向に設定されていることを特徴とする請求項５又は請求項１０のいずれか一項に記載のスクリーン。
【請求項１２】
前記波長選択層は、赤光、緑光、青光のみを透過しそれ以外の光は吸収することを特徴とする請求項５又は請求項１０又は請求項１１のいずれか一項に記載のスクリーン。
【請求項１３】
前記波長選択層は、透過する赤光、緑光、青光の波長帯域が光源の発光波長帯域にほぼ等しく設定されていることを特徴とする請求項５又は請求項１０乃至請求項１２のいずれか一項に記載のスクリーン。
【請求項１４】
請求項１乃至請求項４のいずれか一項に記載の前記ＤＬＰプロジェクタ装置と、
請求項５乃至請求項１３のいずれか一項に記載の前記スクリーンを備えたことを特徴とするＤＬＰプロジェクタシステム。
【発明の詳細な説明】
【技術分野】
【０００１】
本発明は、ＤＬＰ（Digital Light Processing；登録商法）素子を用いて投射画像光を投射するＤＬＰプロジェクタ装置、その投射画像光を結像するスクリーン、及び該ＤＬＰプロジェクタ装置とスクリーンとからなるＤＬＰプロジェクタシステムに関する。
【背景技術】
【０００２】
プレゼンテーション又は映像の映写の分野では、コンピュータ又は種々の映像再生装置から入力された画像信号により表される画像を外部のスクリーン等へ投射するフロント投射方式のプロジェクタ、又は箱型の筐体内に設置されたプロジェクタから筐体の一側面に設けられたスクリーンへ画像を投射するリアプロジェクタＴＶ等が用いられている。
【０００３】
図１２は、従来のプロジェクタ装置の構成の一例を概略的に示す図で、液晶パネルを使用した装置である。図中、１２０は光源となるランプ、１２０ａはランプ１２０が備えるリフレクタ、１２１はインテグレータレンズ、１２２はＰＳ分離合成素子（偏光変換素子）、１２３はコンデンサレンズ、１２４は反射ミラー、１２５はダイクロイックミラー、１２６ａは映像処理回路、１２６ｂは液晶駆動回路、１２７は液晶パネル、１２８はクロスプリズム、１２９は投射レンズである。
【０００４】
図１２のプロジェクタ装置において、ランプ１２０からの光は、インテグレータレンズ１２１によって集光効率と周辺光量比の向上を図った後、ＰＳ分離合成素子１２２に入射する。ＰＳ分離合成素子１２２では、入射光をＰ波（Ｐ偏光成分）とＳ波（Ｓ偏光成分）に分離したあと、一方の偏光成分を他方の偏光成分の偏光面に一致するように回転させ、同一の偏光面を持つ偏光光として出射させる。
【０００５】
ＰＳ分離合成素子１２２を出射した光は、ダイクロイックミラー１２５によってＲ、Ｇ、Ｂの３原色に分離され、反射ミラー１２４によって光路を制御されてＲ用、Ｇ用、Ｂ用にそれぞれ設定された液晶パネル１２７に入射する。プロジェクタ装置は、入力された映像信号を処理する映像処理回路１２６ａと、該映像処理回路１２６ａで処理された映像信号に従って液晶パネルを駆動する液晶駆動回路１２６ｂとを有し、液晶パネル１２７は、液晶駆動回路１２６ｂの駆動信号に従って駆動し、各色の投射画像を生成する。そして液晶パネル１２７で生成された各色の投射画像はクロスプリズム１２８で合成され、投射レンズ１２９によって図示しないスクリーン等の被投射面に投射される。
【０００６】
上記の構成においては、ＰＳ分離合成素子１２２を配することにより光源光を偏光面が揃った偏光波にすることができ、この偏光波を液晶パネル１２７に対する入射光とすることができる。そして、液晶パネル１２７で映像光となった光においても、ＰＳ分離合成素子１２２で揃えられた偏光特性は保たれるので、投射レンズから１２９から投射される投射画像光は、偏光面が揃った偏光波でスクリーンに届くことになる。
【０００７】
図１３は、ＰＳ分離合成素子１２２の構成例とその作用を説明するための図で、図中、１２２ａはＰＢＳ（Polarizing Beam Splitter；偏光ビームスプリッタ）膜、１２２ｂは反射膜、１２２ｃは１／２波長板である。図１３に示すＰＳ分離合成素子１２２は、入射光をまずＰＢＳ膜１２２ａによってＰ波とＳ波に分離し、分離したＰ波とＳ波の光のうち一方を１／２波長板１２２ｃに作用させて偏光面を９０°回転させる。そして分離したもう一方の光は、反射膜１２２ｂで反射させて１／２波長板を出射する出射光と出射方向を一致させる。
【０００８】
こうして、ＰＳ分離合成素子１２２によって入射した光源光を、偏光方向の揃った偏光光に変換することができる。このときに、ＰＳ分離合成素子１２２を出射した偏光光は、分離された各成分の偏光光の２倍弱の光量で出射することができ、結果的に、投射レンズ１２９から投射される投射画像光はほぼ２倍の偏光光として出射されるので、この偏光光を反射する偏光スクリーンを使うことによりスクリーン上に明るい映像を得ることができる。偏光スクリーンは、スクリーン面に偏光板を張り付けた構造を有している。この偏光スクリーンを液晶プロジェクタと組み合わせて使用することによりスクリーン上に明るい映像を得ることができるという効果が現れる。
【０００９】
一方、液晶パネルではなくＤＬＰ（Digital Light Processing；登録商法）素子を用いたＤＬＰプロジェクタが提供されている。ＤＬＰ素子は、米国のテキサス・インスツルメンツ社が開発したＤＭＤ（Digital Micromirror Device）を利用した素子であり、微小なマイクロミラーを多数枚（例えば数十万枚）ワンチップに集積し、個々のマイクロミラーに対するデジタル入力信号をＯＮ／ＯＦＦにすることで、個々のマイクロミラーの向きを約１０°〜１２°だけ傾け、光の反射方向を切り替えるものである。そしてこのマイクロミラーを毎秒数千回の速度で動作させることにより画像を描く。ＤＬＰプロジェクタは、液晶プロジェクタのように小型化が可能で、かつ光をマイクロミラーによって反射させるため、光の減衰が少なく高コントラストが得やすいという利点がある。
【００１０】
このようなＤＬＰプロジェクタには、１枚の板状の空間光変調装置にＲ（赤）、Ｂ（青）、Ｇ（緑）各色の光と場合によっては白色光とを時分割で投射することによりカラー画像を投射する単板方式と、一般的には３枚の空間光変調装置それぞれにＲ（赤）、Ｂ（青）、Ｇ（緑）各色の光を投射して各色別の変調光を発生させ、それらを合成することによりカラー画像を投射する方式とが存在する。
【００１１】
ＤＬＰプロジェクタは、投射画像を生成する手段としてＤＬＰ素子のマイクロミラーの傾きにより光のＯＮ、ＯＦＦを制御するため、液晶式のプロジェクタとは異なり偏光光を利用していない。一方向の偏光面に揃った偏光光ではない投射画像光は、スクリーンにおいてＰ波とＳ波の光のうち一方は吸収されてしまうことになる。したがって、従来のＤＬＰプロジェクタは、スクリーン上での投射画像光の反射が半減し光源の光量を有効に利用していなかった。このとき、スクリーンに入射する外光もＰ波とＳ波の光のうち一方は吸収されてスクリーン上での反射は半減するが、コントラストの向上には寄与しない。
【００１２】
そこで、本出願の発明者は、この点を改良した特許文献１に開示されるＤＬＰ方式のプロジェクタ装置を先に提案した。
【００１３】
特許文献１で提案したＤＬＰ方式のプロジェクタは、ＰＳ分離合成素子を用いることによって、ほぼ２倍の単一の偏光面の投射画像光を生成することができ、これによって、上記液晶パネルを用いたプロジェクタと同様、ＤＬＰ方式のプロジェクタでも偏光スクリーンを効果的に利用することができるようになった。さらに、上記のＤＬＰプロジェクタと偏光スクリーンとによって、投射画像光の減衰と外光の反射とを抑えて、コントラストを向上させることができた。
【特許文献１】特開２００５−１２８１２０号公報
【発明の開示】
【発明が解決しようとする課題】
【００１４】
上記特許文献１で提案したＤＬＰ方式のプロジェクタ装置は、ＤＬＰプロジェクタと偏光スクリーンとによって、投射画像光の減衰と外光の反射とを抑えて、コントラストの高い映像を得ることができる。しかしながら、外光の半分は反射されるので、この外光の影響によりまだ十分高いコントラストが得られたとは言いがたい。そこで更にこの外光の影響を除き、更に高いコントラストを得ることが望まれていた。
本発明は、上記課題に鑑み、上記課題を解決して、外光の影響を除き、更に高いコントラストを得ることができるＤＬＰ方式のプロジェクタ装置を提供することにある。
【課題を解決するための手段】
【００１５】
本発明のＤＬＰプロジェクタ装置は、ＤＬＰ素子を有し、該ＤＬＰ素子によって生成した投射画像光を投射するＤＬＰプロジェクタ装置において、赤光、緑光、及び青光を発光するＬＥＤを用いたＬＥＤ光源と、前記ＬＥＤ光源からのＰ偏光成分またはＳ偏光成分のいずれか一方を他方の偏光成分と同じ偏光面を持つように変換するＰＳ分離合成素子と、前記ＰＳ分離合成素子によって変換された光が入射される前記ＤＬＰ素子とを備えたことを特徴とする。
また、本発明のＤＬＰプロジェクタ装置は、前記ＰＳ分離合成素子が、偏光ビームスプリッタ膜と、１／２波長板と、反射膜を有し、前記偏光ビームスプリッタ膜で入射光をＰ偏光成分とＳ偏光成分に分離し、該分離したＰ偏光成分とＳ偏光成分のいずれか一方を前記１／２波長板に作用させて偏光方向を回転せしめ、前記反射膜により他方の偏光成分の偏光方向と一致させて出射させることを特徴とする。
また、本発明のＤＬＰプロジェクタ装置は、前記ＬＥＤ光源が、複数の赤色用ＬＥＤ、複数の緑色用ＬＥＤ、複数の青色用ＬＥＤを備え、前記ＰＳ分離合成素子が、前記複数の赤色用ＬＥＤ、前記複数の緑色用ＬＥＤ、前記複数の青色用ＬＥＤのそれぞれ１個毎に前記偏光ビームスプリッタ膜、前記１／２波長板、及び前記反射膜とを有し、前記偏光ビームスプリッタ膜で入射光をＰ偏光成分とＳ偏光成分に分離し、該分離したＰ偏光成分とＳ偏光成分のいずれか一方を前記１／２波長板に作用させて偏光方向を回転せしめ、前記反射膜により他方の偏光成分の偏光方向と一致させて出射させることを特徴とする。
また、本発明のＤＬＰプロジェクタ装置は、前記ＬＥＤ光源の色度点から送像側の色度点を求める変換マトリクス演算装置を備え、前記変換マトリクス演算装置で求めた送像側の色度点が得られるように前記ＬＥＤ光源の発光強度を補正することを特徴とする。
また、本発明のスクリーンは、プロジェクタ装置から投射される投射画像光を受けて映像を表示するスクリーンにおいて、偏光層と波長選択層を備えていることを特徴とする。
また、本発明のスクリーンは、当該スクリーンが反射型スクリーンとして構成されることを特徴とする。
また、本発明のスクリーンは、前記偏光層の偏光軸が、前記プロジェクタ装置から投射される偏光面が揃った投射画像光を反射する方向に設定されていることを特徴とする。
また、本発明のスクリーンは、前記波長選択層は、赤光、緑光、青光のみを反射しそれ以外の光は吸収することを特徴とする。
また、本発明のスクリーンは、前記波長選択層が、反射する赤光、緑光、青光の波長帯域がＬＥＤ光源の発光波長帯域に等しく設定されていることを特徴とする。
また、本発明のスクリーンは、当該スクリーンが透過型スクリーンとして構成されることを特徴とする。
また、本発明のスクリーンは、前記偏光層の偏光軸が、前記プロジェクタ装置から投射される偏光面が揃った投射画像光を透過する方向に設定されていることを特徴とする。
また、本発明のスクリーンは、前記波長選択層が、赤光、緑光、青光のみを透過しそれ以外の光は吸収することを特徴とする。
また、本発明のスクリーンは、前記波長選択層が、透過する赤光、緑光、青光の波長帯域がＬＥＤ光源の発光波長帯域に等しく設定されていることを特徴とする。
また、本発明のＤＬＰプロジェクタシステムは、上記ＤＬＰプロジェクタ装置と、上記スクリーンを備えたことを特徴とする。
【発明の効果】
【００１６】
本発明によれば、波長帯域幅が狭い単色光の赤光、緑光、青光をそれぞれ発光するＬＥＤ光源と、ＰＳ分離合成素子とを組み合わせて用いることによって、色純度が高くしかも単一の偏光面の投射画像光をスクリーンに出射することができ、更に、このスクリーンは、この出射画像光、及び外光における上記ＬＥＤ光源に対応する狭い波長帯域幅の赤光、緑光、青光のみを反射、あるいは透過し、それ以外の光は吸収するので、投射画像光の減衰と外光の反射とを抑えて、コントラストの高い映像を得ることができる。
【発明を実施するための最良の形態】
【００１７】
以下、本発明による実施の形態を図を参照して具体的に説明する。
＜第１の実施の形態＞
図１は、本発明のＤＬＰプロジェクタ装置を説明するための図で、図中、１は第１の実施の形態のＤＬＰプロジェクタ装置を示している。２は光源であり、ＬＥＤ光源２ａとそれを駆動するＬＥＤドライブ回路２ｂを含む。３は集光ロッド、４はＰＳ分離合成素子（偏光変換素子）、５ａは映像処理回路、５ｂはＤＬＰ駆動回路、６はＤＬＰ素子、７は投射レンズである。
【００１８】
ＤＬＰプロジェクタ装置１は、ＬＥＤ光源２ａから出力される光を集光ロッド３によって平行光として、ＰＳ分離合成素子４に入射させる。
【００１９】
ＰＳ分離合成素子４は、図１３を参照して説明したＰＳ分離合成素子１２２と同様に、入射光をＰ波とＳ波に分離したあと、一方の偏光成分の偏光面を他方の偏光成分の偏光面に一致するように回転させ、同一の偏光面を持つ偏光光として出射させる機能を有するものである。本発明に適用するＰＳ分離合成素子４としては、例えば上述した図１３に示すごとくのＰＳ分離合成素子１２２や、その他の公知のＰＳ分離合成素子を適用することができる。
【００２０】
本実施の形態のＤＬＰプロジェクタ装置１は、映像処理回路５ａ及びＤＬＰ駆動回路５ｂを有し、映像処理回路５ａにて入力された映像信号を処理し、ＤＬＰ駆動回路５ｂが映像処理回路５ａで処理された映像信号に従ってＤＬＰ素子６を駆動せしめる。ＰＳ分離合成素子４を出射して偏光面が揃った光は、ＤＬＰ素子６に入射し、このときに、上記ＤＬＰ駆動回路５ｂによる駆動信号に従ってＤＬＰ素子６のマイクロミラーが駆動し、投射画像光が生成される。そして生成された投射画像光は、投射レンズ７を介してスクリーン１０（図１には、図示省略している）の被投射面に投射され、これによって映像が表示される。
【００２１】
上記の構成においては、ＰＳ分離合成素子４を配することにより偏光面が揃った偏光光にすることができ、この偏光光をＤＬＰ素子６に対する入射光とすることができる。そして、ＤＬＰ素子６で投射画像光となった光においても、ＰＳ分離合成素子４で揃えられた偏光特性は保たれるので、投射レンズ７から投射される投射画像光は、偏光面が揃った偏光光としてスクリーン１０に届くことになる。後述するように、本実施の形態で用いる上記スクリーン１０は、偏光層と、赤光、緑光、青光のみを反射しそれ以外の光は吸収する波長選択層を有するスクリーンであり、上記のＤＬＰプロジェクタの投射画像光を波長領域に応じて選択的に吸収、反射し、コントラストの高い投射画像を得ることができる。
【００２２】
本実施の形態においては光源をＬＥＤにしているが、ＬＥＤの発光波長帯域は狭いため色純度の高い映像が得られる。色度座標上では送像側で規定している赤光、緑光、青光の色度点より範囲が広く設定できるため色再現範囲が広くディスプレイとしての応用範囲の拡大が期待されている。一方この特性のため送像側で規定している色度点と波長帯域幅が異なるために送像側で想定した色味の再現はそのままではできなくなってしまい不具合が発生する。送像側ではブラウン管に使用されている蛍光体の発光特性を元に規定しており、ＬＥＤの発光特性と異なるためである。図２にこの送像側で規定される特性Ｒ、Ｇ、ＢとＬＥＤの一般的な特性Ｒ1、Ｇ1、Ｂ1との比較を示す。本発明の特徴を生かすには投射映像の赤光、緑光、青光の波長帯域が狭いほど有効であるから、この波長帯域の光で送像側色味に近づける手段を講ずれば良い。
【００２３】
送像側で規定される色度点は、例えばITU-R BT.709-5の規格の場合、図２に示すように、ＣＩＡ色度図上でそれぞれＲ(0.640 0.330)、Ｇ(0.300 0.600)、Ｂ(0.150 0.060)である。またこれらの合成による白の点はＤ65光源で、Ｗ(0.3127 0.329)である。ＬＥＤの赤、緑、青の各点Ｒ1、Ｇ1、Ｂ1はこれより外側の点である。ＬＥＤの色度点Ｒ1、Ｇ1、Ｂ1は多種多様にあるため規定できないが、一つの例を示せば図２に示すようなＲ1、Ｇ1、Ｂ1となる。これらＲ1、Ｇ1、Ｂ1の点で囲まれた３角形の領域の色度点は、Ｒ1、Ｇ1、Ｂ1の各光により合成できることが知られている。従ってＲ1、Ｇ1、Ｂ1の内側にあるＲ、Ｇ、Ｂ点はＲ1、Ｇ1、Ｂ1によって合成が可能である。これは図３で示したマトリクス式の関係で表される。
【００２４】
即ち、Ｒ、Ｇ、ＢはＲ1、Ｇ1、Ｂ1の関数として、次のように求められる。
Ｒ＝Ａ11・Ｒ1＋Ａ12・Ｇ1＋Ａ13・Ｂ１
Ｇ＝Ａ21・Ｒ1＋Ａ22・Ｇ1＋Ａ23・Ｂ１
Ｒ＝Ａ31・Ｒ1＋Ａ32・Ｇ1＋Ａ33・Ｂ１
Ａ11からＡ33までの係数の求め方については省略するが、本発明においてはこの演算過程は映像処理回路５aに備わる変換マトリクス演算装置において行う。映像処理回路５ａで処理された映像信号に従ってＬＥＤ駆動回路２ｂが駆動され、変換マトリクス演算装置の演算結果に従ってＲ光用、Ｇ光用、Ｂ光用の各ＬＥＤの発光強度は等価的に送像側で規定される色度点が得られるように補正される。
【００２５】
図４は、本実施の形態におけるＤＬＰプロジェクタシステムに適用するスクリーン１０の一例を説明するための図で、図中、１０はスクリーン、１０ａは偏光層、１０ｂは波長選択層、１０ｃは反射型スクリーン、Ｌ1はＤＬＰプロジェクタ装置１から投射された投射画像光、Ｌ2はスクリーンに斜め側方から入射する外光である。ＤＬＰプロジェクタ装置１から投射される投射画像光Ｌ1は、偏光面が揃った偏光光である。ここではその偏光光の偏光方向をＰとする。なお、図４に示す光路は、本発明に関するスクリーンの作用を説明するための概略的な光路である。
【００２６】
スクリーン１０は、反射型スクリーン１０ｃに波長選択層１０ｂと偏光層１０ａが張り合わされている。その偏光層１０ａの偏光軸は、ＤＬＰプロジェクタ装置からの投射画像光が反射する方向に設定される。例えば、図４の例では、投射画像光Ｌ1の偏光光の偏光方向をＰとするとき、スクリーン１０の偏光層１０ａの偏光軸は、偏光方向Ｐの光を反射する方向に設定されている。これにより、スクリーン１０に入射するＤＬＰプロジェクタ装置１からの投射画像光Ｌ1は、偏光層１０ａの作用を受けてスクリーン１０の前方に戻される。
【００２７】
波長選択層１０ｂは、ＤＬＰプロジェクタ装置１のＬＥＤ光源に対応する狭い波長帯域幅の赤光、緑光、青光のみを反射しそれ以外の光は吸収する層であるため、赤光、緑光、青光の入射光と外光の赤光、緑光、青光はスクリーン１０の前方に戻されるがそれ以外の成分は概ね吸収されてしまう。この作用を効果的にするためには赤光、緑光、青光の反射帯域を狭くすればするほど外光の吸収帯域が広く設定できるため外光の吸収成分が広くできる。ＬＥＤ光源のように発光波長帯域が狭い光源では効果が高い。
【００２８】
図５を参照して、波長選択層１０ｂの特性、及び作用を説明する。
【００２９】
図５ａはＬＥＤ光源の波長分布を示したもので、横軸が波長、縦軸が相対発光強度を示す。図５ａ中、ＲはＬＥＤ光源２ａの赤色の波長分布、ＧはＬＥＤ光源２ａの緑色の波長分布、ＢはＬＥＤ光源２ａの青色の波長分布である。図５ｂはスクリーン１０の波長選択層１０ｂの波長に対する吸収率特性を示したもので、吸収率特性を図５ａのＬＥＤ光源２ａの波長分布に対応した特性、即ちＬＥＤ光源２ａのＲ、Ｇ、Ｂの各波長が分布する波長帯域は吸収率が小さく、それ以外は吸収率が大きくなるようにすることにより、ＬＥＤ光源２ａに対応する狭い波長帯域幅の赤光、緑光、青光以外の光は吸収する特性が得られる。
【００３０】
即ち、赤色Ｒの波長分布で説明すると、赤色ＲのＬＥＤ光源２ａの波長分布は、波長６２５ｎｍでピークを持ち６１０〜６４０ｎｍの波長帯域を持っている。これに対して波長選択層の吸収率特性は、赤色ＲのＬＥＤ光源２ａの波長分布と合うように、波長６２５ｎｍでピークを持ち、６１０〜６４０ｎｍの波長帯域で良好な吸収率を持つように調整されている。図５ａと図５ｂを比較してみると緑光、青光についても同様に調整されていることが分かる。このように、ＤＬＰプロジェクタ装置１からの赤光、緑光、青光は、狭い波長帯域幅のみよく反射され、その他の波長帯域の光は反射されずに吸収される。なお、本発明に言う「狭い波長帯域」とは、可視光の全波長帯域に対して図５ａに示したように一部の波長帯域に限定されたものを指す。
【００３１】
上記のような特性を有するスクリーン１０に、図４に示すように、単一の偏光面（例えばＰ波）の投射画像光であって、しかもＤＬＰプロジェクタ装置１のＬＥＤ光源に対応する狭い波長帯域幅（図５ａの特性参照）の赤光、緑光、青光が投射されると、スクリーン１０の反射特性がＬＥＤ光源に対応する狭い波長帯域幅に合わせてある（図５ｂの特性参照）ので、その殆どが反射される。
【００３２】
一方、外光についてみると、投射画像光以外にスクリーンに入射する外光Ｌ2は、通常、偏光面が揃った偏光光ではなく、ランダムな偏光の円偏光光である。ここでは、図４に示したように、外光Ｌ2は２つの偏光方向Ｐ波とＳ波の偏光成分が混在した光であるものとする。外光Ｌ2がスクリーン１０に入射すると、偏光層１０ａでＬＥＤ光源に対応する狭い波長帯域幅の赤光、緑光、青光の偏光方向Ｐの偏光成分のみが反射し、それ以外は波長選択層１０ｂで吸収されてしまう。したがって外光による反射光は約１０％程度以下に減衰される。
【００３３】
このように、偏光層１０ａと、波長領域に応じて選択的に光を反射する選択反射層１０ｂを用いて、赤色、緑色、青色のみを反射し、それ以外の光は吸収することを併せ持つスクリーン１０により、ＤＬＰプロジェクタ装置１からの投射画像光をそのほぼ全てを反射させ、外光の殆どをスクリーン１０で吸収させることができるようになるので、外光がある場合でもコントラストの高い投射画像光を得ることができる。
【００３４】
図６は光源２の一実施例を示す詳細構成図である。図中、２１はＧ光用のＬＥＤ、３１はＢ光用のＬＥＤ、４１はＲ光用のＬＥＤ、２２、３２、４２はスイッチ、２３、３３、４３は反射鏡（ダイクロイックミラー）、２４、３４、４４はＬＥＤ選択回路、２５、３５、４５はＬＥＤ電源ライン、２６、３６、４６は接地ライン、２７、３７は集約反射鏡（ダイクロイックミラー）、４７は集約反射鏡である。図１ではＬＥＤ光源２ａとＬＥＤ駆動回路２ｂとは便宜上、分離された構成として示されているが、両者は図６に示すように一体的に構成されている。ＬＥＤ駆動回路２ｂ及びＬＥＤ光源２ａはＲ、Ｂ、Ｇの各色の光用に個別の回路を含んでいるが、それぞれは同一の構成であるので以下においては一例としてＲ光用の回路について説明する。
【００３５】
Ｒ光用の回路は、個々に赤色光（Ｒ光）を発光するＲ光発光回路を複数並列接続して構成されている。各Ｒ光発光回路が発光したＲ光は同一光軸上をＲ光用集約反射鏡４７方向へ進行して合成Ｒ光となる。具体的には、赤色光（Ｒ光）を発光する複数のＬＥＤ４１と、各ＬＥＤ４１が発光したＲ光を上述したＲ光用集約反射鏡４７方向へ反射させる反射鏡（ダイクロイックミラー）４３と、各ＬＥＤ４１に対応してそのオン／オフを制御するスイッチ４２とで一組のＲ光発光回路が構成されている。そして、各Ｒ光発光回路のスイッチ４２の制御端子がＲ光用ＬＥＤ選択回路４４にそれぞれ接続されている。また、各Ｒ光発光回路のＬＥＤ４１の一端がＬＥＤ電源ライン４５に、他端がそれぞれのスイッチ４２を介して接地ライン４６に接続されている。
【００３６】
従って、Ｒ光用ＬＥＤ選択回路４４が個々のスイッチ４２の制御端子にオン信号を与えると、そのスイッチ４２に接続されているＬＥＤ４１は一端がＬＥＤ電源ライン４５に、他端が接地ライン４６にそれぞれ接続されるので、ＬＥＤ４１はＲ光を発光する。なお、以下においては、各Ｒ光発光回路の内の集約反射鏡４７に近い方を下流側、遠い方を上流側という。
【００３７】
各反射鏡４３はそれぞれが属するＲ光発光回路のＬＥＤ４１が発光したＲ光をＲ光用集約反射鏡４７方向へ反射すると共に、上流側のＬＥＤ４１が発光したＲ光を直線的に透過させるハーフミラー（ダイクロイックミラー）が使用されている。従って、各ＬＥＤ４１が発光したＲ光はそれぞれのＲ光発光回路の反射鏡４３により同一光軸上をＲ光用集約反射鏡４７方向へ反射されると共に下流側のＲ光発光回路の反射鏡４３からのＲ光を透過させるが、この光軸の延長上にはＲ光用の集約反射鏡４７が備えられている。従って、Ｒ光用回路に含まれる複数のＲ光発光回路の内の同一タイミングで発光するＬＥＤ４１の数に応じて、集約反射鏡４７へ達するＲ光（合成Ｒ光）の強度（明るさ）を調整することが可能になる。
【００３８】
換言すれば、Ｒ光用ＬＥＤ選択回路４４において同一タイミングでオン制御するスイッチ４２の数に応じて合成Ｒ光の強度（明るさ）が制御される。
【００３９】
他のＢ光用回路及びＧ光用回路も上述したＲ光用回路と同様の構成であるが、Ｂ光用の集約反射鏡（ダイクロイックミラー）３７は、Ｒ光用の集約反射鏡４７が反射したＲ光を直線的に透過させると共にＢ光用の各ＬＥＤ３１が発光したＢ光を自身が透過させたＲ光の光軸と同一光軸上で反射するハーフミラー（ダイクロイックミラー）である。
【００４０】
また、Ｇ光用の集約反射鏡（ダイクロイックミラー）２７は、Ｇ光用の各ＬＥＤ２１が発光したＧ光を直線的に透過させると共にＲ光用の集約反射鏡４７及びＢ光用の集約反射鏡３７により反射されたＲ光及びＢ光をＧ光がＧ光用の集約反射鏡２７を透過した光軸上に反射させるハーフミラー（ダイクロイックミラー）である。従って、最終的にはＧ光用の集約反射鏡２７からＲ，Ｂ，Ｇ光が同一光軸上に出射される。Ｇ光用の集約反射鏡２７から出射されたＲ、Ｂ、Ｇ光は集光ロッド３、ＰＳ分離合成素子４を介してＤＬＰ素子６へ投射される。
【００４１】
なお、前述したように、白色光が必要な場合にはＲ光用回路，Ｂ光用回路及びＧ光用回路で同時に各色の光を発光させることにより白色光をＤＬＰ素子６へ投射することが可能になる。また、Ｒ，Ｂ，Ｇ光以外の中間色の光、即ちシアン，マゼンタ，イエローが必要な場合にもＲ光用回路，Ｂ光用回路及びＧ光用回路を選択的に同時発光させることによりそれぞれの色の光をＤＬＰ素子６へ投射させることが可能になる。
【００４２】
＜第２の実施の形態＞
図７は、本発明による第２の実施の形態のＤＬＰプロジェクタ装置８の概略構成を示した図で、図中、光源５０のＬＥＤ光源５０ａおよびそれを駆動するＬＥＤドライブ回路５０ｂの構成例は図８、図９に示されている。図７〜図９において、図１、図６と同様の機能を有する部分には図１、図６と同じ符号が付してある。
【００４３】
本実施の形態において、図７に示すように、ＰＳ分離合成素子（偏光変換素子）５０ｃ（第１の実施の形態で図１に示したＰＳ分離合成素子４に相当）は、ＬＥＤ光源５０ａの近く（光源５０の内部）に配しそれぞれのＬＥＤ１個に対して分離合成している。
【００４４】
図８は、光源５０の詳細構成の一実施例を示したものである。図８を参照すると、ＬＥＤ２１、３１、４１、スイッチ２２、３２、４２、Ｒ、Ｇ、Ｂ光用ＬＥＤ選択回路２４、３４、４４、ＬＥＤ電源ライン２５、３５、４５、接地ライン２６、３６、４６、集約反射鏡２７、３７、４７の構成は、第１の実施の形態に示したもの（図６参照）と同様に構成してある。
【００４５】
しかし本実施の形態の図８に示した構成では、図６に示した構成と異なり、Ｒ光用のＰＳ分離合成素子（偏光変換素子）７８がＬＥＤ４１の直ぐ下流側に配置し、それぞれのＬＥＤ１個に対してＲ光用のＬＥＤ光をＰ波とＳ波に分離したあと、一方の偏光成分を他方の偏光成分の偏光面に一致するように回転させ、同一の偏光面を持つ偏光光として出射させている。同様にＢ光用のＰＳ分離合成素子（偏光変換素子）６８がＬＥＤ３１の直ぐ下流側に配置し、それぞれのＬＥＤ１個に対してＢ光用のＬＥＤ光をＰ波とＳ波に分離したあと、一方の偏光成分を他方の偏光成分の偏光面に一致するように回転させ、同一の偏光面を持つ偏光光として出射させる。また、Ｇ光用のＰＳ分離合成素子（偏光変換素子）５８がＬＥＤ２１の直ぐ下流側に配置し、それぞれのＬＥＤ１個に対してＧ光用のＬＥＤ光をＰ波とＳ波に分離したあと、一方の偏光成分を他方の偏光成分の偏光面に一致するように回転させ、同一の偏光面を持つ偏光光として出射させる。Ｒ、Ｇ、Ｂ各々光は集約反射鏡（ダイクロイックミラー）２７、３７により合成しているが、偏光面は同一にそろえられている。
【００４６】
図９は、光源５０の詳細構成の他の実施例を示したものである。図９を参照すると、ＬＥＤ２１、３１、４１、スイッチ２２、３２、４２、ＬＥＤ選択回路２４、３４、４４、ＬＥＤ電源ライン２５、３５、４５、接地ライン２６、３６、４６、集約反射鏡２７、３７、４７の構成部材は図８に示した実施例と同様であるが、その配列において異なっている。即ち図９に示すようにＲ光用ＬＥＤ、Ｂ光用ＬＥＤ、Ｇ光用ＬＥＤが同一平面に配置され、しかもＲ光用、Ｇ光用、Ｂ光用の各ＬＥＤは各々隣が異なる色のＬＥＤとなるように配置されている。Ｒ、Ｇ、の各ＬＥＤは順次点灯するが、このように配列すると、それぞれの発光時に均一化された発光が得られる。
【００４７】
また、ＰＳ分離合成素子（偏光変換素子）９０は、同一平面に配置されたＬＥＤ２１、３１、４１の直ぐ下流側に配置しそれぞれのＬＥＤ１個に対して分離合成している。ＬＥＤ光をＰ波とＳ波に分離したあと、一方の偏光成分を他方の偏光成分の偏光面に一致するように回転させ、同一の偏光面を持つ偏光光として出射させる過程は図８と同様であるがＲ，Ｇ，Ｂの各ＬＥＤ素子は同一平面上に配していることが特徴であり、集約反射鏡（ダイクロイックミラー）２７、３７、反射ミラー４７を廃している。これはＤＬＰの駆動においてＲ、Ｇ、の各ＬＥＤは順次点灯するため各ＬＥＤの電源およびドライバーは個別であっても配置に対しての制限がないためである。
【００４８】
上記集約反射鏡（ダイクロイックミラー）での合成光は、集光ロッド３で平行光とされ、ＤＬＰ素子６に入射する。このときに、ＤＬＰ駆動回路５ｂによる駆動信号に従ってＤＬＰ素子６のマイクロミラーが駆動し、投射画像光が生成される。そして生成された投射画像光は、投射レンズ７を介してスクリーン１０の被投射面に投射される。
【００４９】
上記の構成においては、ＬＥＤ光源５０ａの近くにＰＳ分離合成素子５０ｃ（図８の５８、６８、７８、或いは図９の９０など）を配することにより光源光を偏光面が揃った偏光光にすることができ、この偏光光をＤＬＰ素子６に対する入射光とすることができる。そして、ＤＬＰ素子６で画像光となった光においても、ＰＳ分離合成素子５０ｃで揃えられた偏光特性は保たれるので、投射レンズ７から投射される投射画像光は、偏光面が揃った偏光光としてスクリーン１０に届くことになる。
【００５０】
＜第３の実施の形態＞
図１０は、スクリーンをリア用投射型とした第３の実施の形態を示すものである。図中、１１はスクリーンであり、１１ａは偏光層、１１ｂは波長選択層、１１ｃはリア用投射型スクリーン、Ｌ1はＤＬＰプロジェクタから投射された投射画像光、Ｌ2はスクリーンに側方から入射する外光である。
【００５１】
図１０に示す偏光スクリーン１１は、図４に示すごとくのフロント投射タイプのスクリーンではなく、スクリーンが通常のリア投射用スクリーン１１ｃの観察者側に偏光板による偏光層１１ａと波長選択層１１ｂを張り合わせた構成となっているリア投射タイプのスクリーンである。
【００５２】
上述したようにＤＬＰプロジェクタから投射される投射画像光は、偏光面が揃った偏光光である。ここではその偏光光の偏光方向をＰとする。偏光スクリーン１１の偏光層１１ａの偏光軸は、ＤＬＰプロジェクタからの投射画像光が透過する方向に設定される。
【００５３】
波長選択層１１ｂは、ＤＬＰプロジェクタ装置１のＬＥＤ光源に対応する狭い波長帯域幅の赤光、緑光、青光のみを透過しそれ以外の光は吸収する層である。
【００５４】
図１１を参照して、波長選択層１１ｂの特性、及び作用を説明する。
【００５５】
図１１ａはＬＥＤ光源の波長分布を示したもので、横軸が波長、縦軸が相対発光強度を示す。図１１ａ中、ＲはＬＥＤ光源２ａ（又は５０ａ）の赤色の波長分布、ＧはＬＥＤ光源２ａ（又は５０ａ）の緑色の波長分布、ＢはＬＥＤ光源２ａ（又は５０ａ）の青色の波長分布である。
【００５６】
図１１ｂはスクリーン１０の波長選択層１０ｂの波長に対する透過率特性を示したもので、透過率特性を図１１ａのＬＥＤ光源２ａ（又は５０ａ）の波長分布に対応した特性、即ちＬＥＤ光源２ａ（又は５０ａ）のＲ、Ｇ、Ｂの各波長が分布する波長帯域は透過率が大きく、それ以外は吸収率が大きくなるようにすることにより、ＬＥＤ光源２ａ（又は５０ａ）に対応する狭い波長帯域幅の赤光、緑光、青光を透過し、それ以外の光は吸収する特性が得られる。
【００５７】
即ち、赤色Ｒの波長分布で説明すると、赤色ＲのＬＥＤ光源２ａの波長分布は、波長６２５ｎｍでピークを持ち６１０〜６４０ｎｍの波長帯域を持っている。これに対して波長選択層の透過率特性は、赤色ＲのＬＥＤ光源２ａの波長分布と合うように、波長６２５ｎｍでピークを持ち、６１０〜６４０ｎｍの波長帯域で良好な透過率を持つように調整されている。図１１ａと図１１ｂを比較してみると緑光、青光についても同様に調整されていることが分かる。
【００５８】
このように、ＤＬＰプロジェクタ装置１からの赤光、緑光、青光は、波長選択層１１ｂで狭い波長帯域幅のみよく透過され、その他の波長帯域の光は吸収される。
【００５９】
上記のような特性を有する偏光層１１ａと波長選択層１１ｂを張り合わせた構成のスクリーン１１に、図１０に示すように、単一の偏光面（例えばＰ波）の投射画像光であって、しかもＤＬＰプロジェクタ装置１のＬＥＤ光源に対応する狭い波長帯域幅（図１１ａの特性参照）の赤光、緑光、青光が投射されると、スクリーン１１の透過特性がＬＥＤ光源に対応する狭い波長帯域幅に合わせてある（図１１ｂの特性参照）ので、その殆どが透過される。
【００６０】
一方、外光についてみると、投射画像光以外にスクリーンに入射する外光Ｌ2は、通常、偏光面が揃った偏光光ではなく、ランダムな偏光の円偏光光である。ここでは、図１０に示したように、外光Ｌ2は２つの偏光方向Ｐ波とＳ波の偏光成分が混在した光であるものとする。外光Ｌ2がスクリーン１１に入射すると、波長選択層１１ｂでＬＥＤ光源２ａ（又は５０ａ）に対応する狭い波長帯域幅の赤光、緑光、青光以外の光は吸収するされてしまい、残りの外光Ｌ2は偏光層１１ａでＬＥＤ光源２ａ（又は５０ａ）に対応する狭い波長帯域幅の赤光、緑光、青光のＰ波のみが反射される。したがって外光による反射光は殆ど（約１０％程度以下に）減衰されてしまう。
【００６１】
こうして、ＤＬＰプロジェクタ装置からの投射画像光をスクリーン１１においてそのほぼ全てを透過させ、外光の殆どをスクリーン１１で吸収させることになり、外光がある場合でもコントラストの高い投射画像光を得ることができる。
【００６２】
以上、本発明を具体的な実施の形態によって説明したが、赤光、緑光、青光のＬＥＤにより構成される光源は、従来より広く使用されている高圧水銀ランプからの光をカラーフィルターによって赤光、緑光、青光に分離し単色光を得る方式に比べ、色純度の高い光源であることが知られている。いいかえればそれぞれの単色光の波長帯域幅が狭いことが特徴である。したがって、上記実施の形態では、ＬＥＤ光源とＰＳ分離合成素子及びＤＬＰ素子を組み合わせて用いることによって、減衰の少ない、しかも波長帯域幅が狭い単一の偏光面の投射画像光を生成することができ、これによって偏光スクリーンを効果的に利用することができるようにしたＤＬＰプロジェクタ装置を提供することができる。
【００６３】
更に、上記ＬＥＤ光源とＰＳ分離合成素子及びＤＬＰ素子を組み合わせたＤＬＰプロジェクタ装置からの投射画像光をスクリーンに投射する場合、偏光のみならず、上記ＬＥＤ光源の赤光、緑光、青光の狭い波長帯域みを反射（反射型スクリーンの場合）、或いは透過（リア用投射型スクリーンの場合）しそれ以外の波長帯域の光を吸収することができるスクリーンと組み合わせると、外光の赤光、緑光、青光の波長帯域以外はほとんど吸収されるためさらにコントラストの高い映像を得ることが可能となる。また、本発明で用いるスクリーン１０、１１は、ＤＬＰプロジェクタ装置に限らず液晶プロジェクタ装置などその他のプロジェクタ装置において、プロジェクタ装置から出射する投射画像光を偏光面が揃った偏光光とするスクリーンに使用可能である。また、上記実施の形態では光源をＬＥＤとしたが、赤光、緑光、青光の狭い波長帯域で発光するものであれば、ＬＥＤに代えて使用することも可能である。
【００６４】
また、以上の実施の形態は本発明の具体的な例を示したものであり、本発明はこれら実施の形態に限定されることはなく、本発明の主旨を逸脱しない範囲で変形して実施することができる。
【産業上の利用可能性】
【００６５】
本発明は、ＤＬＰプロジェクタ装置に広く利用できる。
【図面の簡単な説明】
【００６６】
【図１】本発明による第１の実施の形態のＤＬＰプロジェクタ装置を説明するための図である。
【図２】ＬＥＤの色度点と送像側の色度点の関係を示した図である。
【図３】送像側の色度点Ｒ、Ｇ、ＢとＬＥＤの色度点Ｒ1、Ｇ1、Ｂ1のマトリクス式の関係を示した図である。
【図４】本発明による第１の実施の形態に適用されるスクリーンの光反射状態を説明するための図である。
【図５】本発明による第１の実施の形態に適用されるスクリーンの、ＬＥＤ光源の発光スペクトルと波長選択層の吸収率特性との関係を説明する図である。
【図６】本発明による第１の実施の形態のＤＬＰプロジェクタ装置のＬＥＤ光源とそのドライブ回路の構成図である。
【図７】本発明による第２の実施の形態のＤＬＰプロジェクタ装置を説明するための図である。
【図８】本発明による第２の実施の形態のＤＬＰプロジェクタ装置のＬＥＤ光源とそのドライブ回路の一構成例であり、Ｒ光用、Ｇ光用、Ｂ光用のＰＳ分離合成素子とＬＥＤがそれぞれ対になっている例を示す図である。
【図９】本発明による第２の実施の形態のＤＬＰプロジェクタ装置のＬＥＤ光源とそのドライブ回路の他の構成例であり、Ｒ、Ｇ、Ｂの各ＬＥＤが同一面に配置されてＰＳ分離合成素子とＬＥＤが対になっている例を示す図である。
【図１０】本発明による第３の実施の形態に適用されるスクリーンの光反射状態及び光透過状態を説明するための図である。
【図１１】本発明による第３の実施の形態に適用されるスクリーンの、ＬＥＤ光源の発光スペクトルと波長選択層の透過率特性との関係を説明する図である。
【図１２】従来のプロジェクタ装置の構成の一例を概略的に示す図である。
【図１３】ＰＳ分離合成素子の構成例とその作用を説明するための図である。
【符号の説明】
【００６７】
１・・・ＤＬＰプロジェクタ装置、
２・・・光源、
２ａ・・・ＬＥＤ光源、
２ｂ・・・ＬＥＤドライブ回路、
３・・・集光ロッド、
４・・・ＰＳ分離合成素子（偏光変換素子）、
５ａ・・・映像処理回路、
５ｂ・・・ＤＬＰ駆動回路、
６・・・ＤＬＰ素子、
７・・・投射レンズ、
８・・・ＤＬＰプロジェクタ装置、
１０・・・スクリーン、
１０ａ・・・偏光層
１０ｂ・・・波長選択層、
１０ｃ・・・反射型スクリーン、
１１・・・スクリーン、
１１ａ・・・偏光層、
１１ｂ・・・波長選択層、
１１ｃ・・・リア用投射型スクリーン、
２１・・・Ｇ光用のＬＥＤ、
２２・・・Ｇ光発光回路のスイッチ、
２３・・・Ｇ光発光回路の反射鏡（ダイクロイックミラー）、
２４・・・Ｇ光用ＬＥＤ選択回路、
２５・・・ＬＥＤ電源ライン、
２６・・・接地ライン、
２７・・・Ｇ光用の集約反射鏡（ダイクロイックミラー）、
３１・・・Ｂ光用のＬＥＤ、
３２・・・Ｂ光発光回路のスイッチ、
３３・・・Ｂ光発光回路の反射鏡（ダイクロイックミラー）、
３４・・・Ｂ光用ＬＥＤ選択回路、
３５・・・ＬＥＤ電源ライン、
３６・・・接地ライン、
３７・・・Ｂ光用の集約反射鏡（ダイクロイックミラー）、
４１・・・Ｒ光用のＬＥＤ、
４２・・・Ｒ光発光回路のスイッチ、
４３・・・Ｒ光発光回路の反射鏡（ダイクロイックミラー）、
４４・・・Ｒ光用ＬＥＤ選択回路、
４５・・・ＬＥＤ電源ライン、
４６・・・接地ライン、
４７・・・Ｒ光用集約反射鏡、
５０・・・光源、
５０ａ・・・ＬＥＤ光源、
５０ｂ・・・ＬＥＤドライブ回路、
５０ｃ・・・ＰＳ分離合成素子、
５８、６８、７８・・・ＰＳ分離合成素子（偏光変換素子）、
９０・・・ＰＳ分離合成素子、
１２０・・・ランプ、
１２０ａ・・・リフレクタ、
１２１・・・インテグレータレンズ、
１２２・・・ＰＳ分離合成素子（偏光変換素子）、
１２２ａ・・・ＰＢＳ膜、
１２２ｂ・・・反射膜、
１２２ｃ・・・１／２波長板、
１２３・・・コンデンサレンズ、
１２４・・・反射ミラー、
１２５・・・ダイクロイックミラー、
１２６ａ・・・映像処理回路、
１２６ｂ・・・液晶駆動回路、
１２７・・・液晶パネル、
１２８・・・クロスプリズム、
１２９・・・投射レンズ、
【図１】
2009109699.tif 000003
【図２】
2009109699.tif 000004
【図３】
2009109699.tif 000005
【図４】
2009109699.tif 000006
【図５】
2009109699.tif 000007
【図６】
2009109699.tif 000008
【図７】
2009109699.tif 000009
【図８】
2009109699.tif 000010
【図９】
2009109699.tif 000011
【図１０】
2009109699.tif 000012
【図１１】
2009109699.tif 000013
【図１２】
2009109699.tif 000014
【図１３】
2009109699.tif 000015